(57)【要約】【課題】複数の項目とその内容を対応付けたデータから任意の項目を検索してその内容を調べるための電子辞書等の電子機器において、例えば項目一覧と選択された項目の内容とで分割表示された各エリアを対象に使い勝手良く必要に応じたスクロールを行わせる。【解決手段】見出し語一覧エリアＬｍとプレビューエリアＰｖの左右分割表示画面では、単にスクロールパッド１７をフリック操作ｕしたときは、予めユーザ設定されたプレビューエリアＰｖの表示内容をスクロールＳｕさせることができ、見出し語の選択を決定して説明情報を全画面表示させずともその全文を確認できる。しかも、当該表示画面の何処かを片手でタッチしながらスクロールパッド１７をフリック操作ｕしたときには、前記ユーザ設定されたプレビューエリアＰｖとは反対の見出し語一覧エリアＬｍの表示内容をスクロールＳｕさせることができる。【選択図】      図７
2013186753.tif 000002
【特許請求の範囲】
【請求項１】
タッチパネルを備えた表示部と、
ユーザ操作に応じた方向の指示を検出する方向指示検出部と、
複数の項目とその内容を対応付けたデータを記憶するデータ記憶手段と、
このデータ記憶手段により記憶されたデータを前記表示部の表示画面を分割した各領域に表示させる分割表示手段と、
この分割表示手段により分割される領域を対象にスクロールする条件を設定する条件設定手段と、
前記方向指示検出部によりユーザ操作に応じた方向の指示が検出された際に、前記条件設定手段により設定されたスクロールする条件に従い、前記分割表示手段により分割されて表示された１つの領域を前記検出されたユーザ操作の指示する方向にスクロールさせる分割領域スクロール手段と、
を備えたことを特徴とする電子機器。
【請求項２】
前記条件設定手段は、
ユーザ操作に応じて前記分割表示手段により２分割して表示される一方の領域をスクロールする領域に設定するスクロール設定手段を有し、
前記方向指示検出部によりユーザ操作に応じた方向の指示が検出された際に、前記タッチパネルによりユーザ操作に応じた表示画面への接触が検出されていない場合は、前記スクロール設定手段により設定された一方の領域をスクロールし、前記タッチパネルによりユーザ操作に応じた表示画面への接触が検出されている場合は、前記スクロール設定手段により設定された領域と反対の領域をスクロールする条件を設定する、
ことを特徴とする請求項１に記載の電子機器。
【請求項３】
前記分割表示手段は、
ユーザ操作に応じて前記表示部の表示画面を縦に分割するか横に分割するか設定する分割設定手段を有し、
この分割設定手段により設定された分割方向に応じて分割された一方の領域に前記データ記憶手段により記憶された複数の項目の一覧データを表示させ、他方の領域に当該一覧データから選択された１つの項目に対応する内容のデータを表示させる、
ことを特徴とする請求項１または請求項２に記載の電子機器。
【請求項４】
前記データ記憶手段は、複数の見出し語とその用例または解説を関係付けて含む説明情報とを対応付けた辞書データを記憶し、
前記分割表示手段は、前記分割設定手段により設定された分割方向に応じて分割された一方の領域に前記データ記憶手段により記憶された１つの見出し語の説明情報を表示させ、他方の領域に当該説明情報に関係付けられた用例または解説のデータを表示させる、
ことを特徴とする請求項３に記載の電子機器。
【請求項５】
タッチパネルを備えた表示部と、ユーザ操作に応じた方向の指示を検出する方向指示検出部とを備えた電子機器のコンピュータを制御するためのプログラムであって、
前記コンピュータを、
複数の項目とその内容を対応付けたデータをメモリに記憶させるデータ記憶手段、
このデータ記憶手段により記憶されたデータを前記表示部の表示画面を分割した各領域に表示させる分割表示手段、
この分割表示手段により分割される領域を対象にスクロールする条件を設定する条件設定手段、
前記方向指示検出部によりユーザ操作に応じた方向の指示が検出された際に、前記条件設定手段により設定されたスクロールする条件に従い、前記分割表示手段により分割されて表示された１つの領域を前記検出されたユーザ操作の指示する方向にスクロールさせる分割領域スクロール手段、
として機能させるためのプログラム。
【発明の詳細な説明】
【技術分野】
【０００１】
本発明は、メモリに記憶された複数の項目とその内容を対応付けたデータから任意の項目を検索してその内容を調べるための電子機器およびその制御プログラムに関する。
【背景技術】
【０００２】
従来の電子辞書装置において、表示画面のスクロールは、スクロールキーの操作、あるいはタッチパネルの操作により行っている。また、小型で電池駆動のため、あまり高性能ではないＣＰＵを用いる電子辞書装置では、表示画面の横に設けたスクロールパッドにより滑らかなタッチ操作でスクロールを行う方式のものも実用されている。
【０００３】
電子辞書装置では、検索語入力時の表示の形態として、検索語と前方一致検索された見出し語の一覧を表示画面の左寄りにレイアウトした見出し語一覧エリアに表示し、この一覧エリアで選択された見出し語の説明情報を表示画面の右寄りにレイアウトしたプレビューエリアに表示する分割表示が行われる。また、電子辞書装置では、選択された見出し語の説明情報を表示画面に表示しているときに、この説明情報からリンク付けられた用例や解説を表示する操作が行われると、画面を上下に分割し、用例や解説を表示画面の下段にレイアウトした用例／解説エリアに表示する分割表示も行われる。
【０００４】
そして、このような分割表示における表示画面のスクロールは、前記見出し語一覧エリアとプレビューエリアとの分割表示では見出し語一覧エリアの一方に限られ、また、前記説明情報エリアと用例／解説エリアとの分割表示では説明情報エリアの一方に限られる。このため、それぞれ他方のエリアの表示内容を詳細に見るには、当該他方のエリアの表示内容の選択を決定して全画面表示に切り換えた後にスクロールしなければならない。
【０００５】
小型の電子機器において、表示画面の縦辺と横辺とにそれぞれ沿ったスクロールパッドを設け、このスクロールパッドをタッチしてスライドさせることで、当該スライドに応じた方向に表示内容を送るように制御する電子機器が考えられている（例えば、特許文献１参照。）。
【先行技術文献】
【特許文献】
【０００６】
【特許文献１】特開２００３−２９６０１５号公報
【発明の概要】
【発明が解決しようとする課題】
【０００７】
従来のスクロールパッドを設けた電子機器では、当該スクロールパッドのタッチ操作に応じた方向に表示内容をスクロールさせることはできる。しかしながら、前記分割表示された各エリアを対象に必要に応じたスクロールを行わせることはできない。
【０００８】
本発明は、このような課題に鑑みてなされたもので、分割表示された各エリアを対象に使い勝手良く必要に応じたスクロールを行わせることが可能になる電子機器およびその制御プログラムを提供することを目的とする。
【課題を解決するための手段】
【０００９】
本発明に係る電子機器は、タッチパネルを備えた表示部と、ユーザ操作に応じた方向の指示を検出する方向指示検出部と、複数の項目とその内容を対応付けたデータを記憶するデータ記憶手段と、このデータ記憶手段により記憶されたデータを前記表示部の表示画面を分割した各領域に表示させる分割表示手段と、この分割表示手段により分割される領域を対象にスクロールする条件を設定する条件設定手段と、前記方向指示検出部によりユーザ操作に応じた方向の指示が検出された際に、前記条件設定手段により設定されたスクロールする条件に従い、前記分割表示手段により分割されて表示された１つの領域を前記検出されたユーザ操作の指示する方向にスクロールさせる分割領域スクロール手段と、を備えたことを特徴としている。
【００１０】
本発明に係るプログラムは、タッチパネルを備えた表示部と、ユーザ操作に応じた方向の指示を検出する方向指示検出部とを備えた電子機器のコンピュータを制御するためのプログラムであって、前記コンピュータを、複数の項目とその内容を対応付けたデータをメモリに記憶させるデータ記憶手段、このデータ記憶手段により記憶されたデータを前記表示部の表示画面を分割した各領域に表示させる分割表示手段、この分割表示手段により分割される領域を対象にスクロールする条件を設定する条件設定手段、前記方向指示検出部によりユーザ操作に応じた方向の指示が検出された際に、前記条件設定手段により設定されたスクロールする条件に従い、前記分割表示手段により分割されて表示された１つの領域を前記検出されたユーザ操作の指示する方向にスクロールさせる分割領域スクロール手段、として機能させることを特徴としている。
【発明の効果】
【００１１】
本発明によれば、分割表示された各エリアを対象に使い勝手良く必要に応じたスクロールを行わせることが可能になる電子機器およびその制御プログラムを提供できる。
【図面の簡単な説明】
【００１２】
【図１】本発明の電子機器の実施形態に係る電子辞書装置１０の外観構成を示す正面図。
【図２】前記電子辞書装置１０の電子回路の構成を示すブロック図。
【図３】前記電子辞書装置１０の辞書検索・設定処理を示すフローチャート。
【図４】前記電子辞書装置１０の辞書検索処理に伴う一連の表示動作を示す図。
【図５】前記電子辞書装置１０の辞書設定処理に伴い表示されるスクロール設定画面Ｇｓを示す図。
【図６】前記電子辞書装置１０のスクロールパッド処理を示すフローチャート。
【図７】前記電子辞書装置１０のスクロールパッド処理に伴う分割表示画面でのスクロール動作（その１）を示す図。
【図８】前記電子辞書装置１０のスクロールパッド処理に伴う分割表示画面でのスクロール動作（その２）を示す図。
【発明を実施するための形態】
【００１３】
以下図面により本発明の実施の形態について説明する。
【００１４】
図１は、本発明の電子機器の実施形態に係る電子辞書装置１０の外観構成を示す正面図である。
【００１５】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００１６】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る／リスト］キー１４ｄ、カーソルキー１４ｅ、［レイアウト］キー１４ｆ、［設定］キー１４ｇなどを備えたキー入力部１４、およびタッチパネル式サブ表示部１５が備えられる。
【００１７】
このタッチパネル式サブ表示部１５は、ユーザがペンや指等でタッチした位置を検出するタッチ位置検出装置と表示装置が一体となった構造であり、キー入力部１４の中央手前側において例えば２５６×６４ドットのバックライト付きカラー液晶表示画面１５ｄに透明タッチパネル１５ｔを重ねて構成される。このサブ表示部１５は、必要に応じて、手書き文字を入力するための手書き文字入力領域や各種機能のキー入力領域、あるいは当該各入力領域が混在する領域に切り替えられる。
【００１８】
そして、前記サブ表示部１５が手書き文字入力領域に切り替えられた状態での手書き入力に伴う軌跡はそのバックライト付きカラー液晶表示画面１５ｄにエコーバックして表示される。
【００１９】
また蓋体ケース１２の表面には、そのほぼ全面を対象に例えば４８０×３２０ドットのバックライト付きのタッチパネル式メイン表示部１６、および当該メイン表示部１６の右端に沿った縦長のスクロールパッド１７が設けられる。
【００２０】
前記タッチパネル式メイン表示部１６も、前記サブ表示部１５と同様に、ユーザがペンや指等でタッチした位置を検出するタッチ位置検出装置と表示装置が一体となった構造であり、そのバックライト付きカラー液晶表示画面１６ｄに透明タッチパネル１６ｔを重ねて構成される。
【００２１】
また、前記スクロールパッド１７は、メイン表示部１６の縦の長さに応じたタッチ位置検出装置からなり、これに基づき、タッチ位置がスライドした方向、距離、速度を判別可能である。
【００２２】
そして、この電子辞書装置１０は、前記スクロールパッド１７のユーザ操作に応じて実行する機能として、見出し語検索された単語の説明情報画面や用例／解説画面等の全画面表示を対象とする表示内容のスクロール機能以外に、見出し語一覧エリアＬｍとプレビューエリアＰｖ、説明情報エリアＧｅと用例／解説エリアＬｘ等の分割表示画面を対象として選択的にスクロールエリアを設定し、上フリックｕまたは下フリックｄによってその表示内容を上スクロールＳｕまたは下スクロールＳｄさせる機能を有する。
【００２３】
ここでフリックとは、スクロールパッド１７をユーザが指でタッチして同パッドの長手方向に素早くさっと触れることをいう。
【００２４】
なお、図１における［英和辞典］の見出し語検索画面Ｇは、検索語入力エリアＡｋに見出し語一覧エリアＬｍとプレビューエリアＰｖを併せてレイアウトした分割表示画面であり、見出し語一覧エリアＬｍ内の反転カーソルＣｕにより選択された見出し語の説明情報がプレビューエリアＰｖに表示される。
【００２５】
図２は、前記電子辞書装置１０の電子回路の構成を示すブロック図である。
【００２６】
この電子辞書装置１０は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２７】
ＣＰＵ２１は、記憶装置２２内に予め記憶された装置制御プログラム２２ａ、あるいはＲＯＭカードなどの外部記録媒体２３から記録媒体読み取り部２４を介して前記記憶装置２２に読み込まれた装置制御プログラム２２ａ、あるいはインターネットＮ上のＷｅｂサーバ（この場合はプログラムサーバ）３０から通信部２５を介して前記記憶装置２２に読み込まれた装置制御プログラム２２ａに応じて、ＲＡＭ２６を作業用メモリとして回路各部の動作を制御する。
【００２８】
前記記憶装置２２に記憶された装置制御プログラム２２ａは、キー入力部１４、タッチパネル式サブ表示部１５、タッチパネル式メイン表示部１６、スクロールパッド１７からのユーザ操作に応じた入力信号、あるいは通信部２５を介して接続されるインターネットＮ上の各Ｗｅｂサーバ３０…との通信信号に応じて起動される。
【００２９】
このように、前記ＣＰＵ２１には、前記記憶装置２２、記録媒体読み取り部２４、通信部２５、ＲＡＭ２６、キー入力部１４、タッチパネル式サブ表示部１５、タッチパネル式メイン表示部１６、スクロールパッド１７が接続される。
【００３０】
記憶装置２２には、装置制御プログラム２２ａとして、当該電子辞書装置１０の全体の動作を司るシステムプログラム、通信部２５を介してインターネットＮ上の各Ｗｅｂサーバ３０…や図示しないユーザＰＣ(Personal Computer)などとデータ通信するための通信プログラム等が記憶される。また、前記装置制御プログラム２２ａとして、検索語入力処理、検索語に対応した見出し語検索処理、検索見出し語の一覧表示処理、選択された見出し語に対応する訳語・意味内容・用例・解説などの各種説明情報の読み出し表示処理、指定の単語のジャンプ検索処理、分割表示画面のレイアウト設定処理、分割表示画面のスクロールエリア設定処理、全画面表示や分割表示を対象とするスクロールパッド１７のユーザ操作に応じたスクロール処理など、同記憶装置２２内の辞書データベース２２ｂに基づく検索・表示処理全般を制御するための辞書検索プログラムが記憶される。
【００３１】
辞書データベース２２ｂには、例えば日本語の見出し語に対応付けて日本語の説明情報が記述された［国語辞典］、英語の見出し語に対応付けて日本語の説明情報が記述された［英和辞典］、日本語の見出し語に対応付けて英語の説明情報が記述された［和英辞典］、多様なジャンルの見出し語に対応付けてその説明情報が記述された［百科事典］をはじめ、複数種類の辞書データが予め記憶されるかあるいはダウンロードされて記憶される。
【００３２】
前記ＲＡＭ２６には、入力データメモリ２６ａ、メイン画面データメモリ２６ｂ、サブ画面データメモリ２６ｃ、表示レイアウトデータメモリ２６ｄ、スクロール設定データメモリ２６ｅなどが確保される。
【００３３】
入力データメモリ２６ａには、前記キー入力部１４、タッチパネル１５ｔ，１６ｔ、スクロールパッド１７のユーザ操作に応じた個々の入力データが逐次記憶される。
【００３４】
メイン画面データメモリ２６ｂには、前記タッチパネル式メイン表示部１６に表示させる表示データがビットマップパターンに展開されて記憶される。
【００３５】
サブ画面データメモリ２６ｃには、前記タッチパネル式サブ表示部１５に表示させる表示データがビットマップパターンに展開されて記憶される。
【００３６】
表示レイアウトデータメモリ２６ｄには、前記［レイアウト］キー１４ｆの操作に応じて切り替えられる見出し語一覧表示の表示態様が、上下分割または左右分割のいずれの分割形式であるかの設定データが記憶される。本電子辞書装置１０では、デフォルトで左右分割が記憶されているものとする。
【００３７】
スクロール設定データメモリ２６ｅには、前記［設定］キー１４ｇの操作に応じて起動される分割表示を対象とするスクロールエリアの設定モードにおいて、スクロールパッド１７のユーザ操作に応じてスクロールするエリアの設定データが記憶される。
【００３８】
このように構成された電子辞書装置１０は、ＣＰＵ２１が前記装置制御プログラム２２ａ（検索語入力処理、見出し語検索処理、見出し語一覧表示処理、選択見出し語の説明情報表示処理、指定単語のジャンプ検索処理、分割表示のレイアウト設定処理、分割表示のスクロールエリア設定処理、スクロールパッド１７のユーザ操作に応じたスクロール処理等を実行するためのプログラムを含む）に記述された命令に従い回路各部の動作を制御し、ソフトウエアとハードウエアとが協働して動作することにより、以下の動作説明で述べる機能を実現する。
【００３９】
次に、前記構成による電子辞書装置１０の動作について説明する。
【００４０】
図３は、前記電子辞書装置１０の辞書検索・設定処理を示すフローチャートである。
【００４１】
図４は、前記電子辞書装置１０の辞書検索処理に伴う一連の表示動作を示す図である。
【００４２】
辞書指定キー１４ｂによりユーザ任意の辞書、例えば［英和辞典］が選択されると（ステップＳ１（Ｙｅｓ））、選択された辞書［英和辞典］の検索語を入力するための初期画面（図示せず）がメイン表示部１６に表示される（ステップＳ２）。
【００４３】
この検索語入力画面において、ユーザが調べたい検索語、例えば「base」をキー入力すると（ステップＳ３）、図４（Ａ）に示すように、見出し語検索画面Ｇの検索語入力エリアＡｋに入力された検索語「base」が表示され、「base」と前方一致する見出し語が［英和辞典］（２２ｂ）から検索される（ステップＳ４）。
【００４４】
そして、検索された見出し語を先頭に所定数の見出し語が抽出され、表示レイアウトデータメモリ２６ｄに記憶された分割表示の設定レイアウトに応じて画面左寄りの見出し語一覧エリアＬｍに一覧表示されると共に、先頭の見出し語に反転カーソルＣｕを表示し、この見出し語（単語）「base」の説明情報が読み出され画面右寄りのプレビューエリアＰｖに表示される（ステップＳ５）。
【００４５】
ここで、［訳／決定］キー１４ｃが操作され前記見出し語（単語）「base」の選択が決定されると（ステップＳ６（Ｙｅｓ））、図４（Ｂ）に示すように、当該選択された見出し語「base」に対応した説明情報表示画面ＧＥがメイン表示部１６に全画面表示される（ステップＳ７）。
【００４６】
そして、この説明情報表示画面ＧＥにおいて、［用例］アイコンをタッチ操作すると（ステップＳ８（Ｙｅｓ））、該当する語義の用例が前記［英和辞典］（２２ｂ）から読み出され、図４（Ｃ）に示すように、説明情報エリアＧｅを上段とし用例／解説エリアＬｘを下段として分割したその用例／解説エリアＬｘに表示される（ステップＳ９）。
【００４７】
図５は、前記電子辞書装置１０の辞書設定処理に伴い表示されるスクロール設定画面Ｇｓを示す図である。
【００４８】
電子辞書装置１０では、前記図４（Ａ）で示した見出し語一覧エリアＬｍとプレビューエリアＰｖを左右にレイアウトした分割表示画面や前記図４（Ｃ）で示した説明情報エリアＧｅと用例／解説エリアＬｘを上下にレイアウトした分割表示画面を対象に、フリック操作に対してどのようにスクロールさせるかの動作設定を行なうことができる。電子辞書装置１０のキー入力部１４に備えられた［設定］キー１４ｇが操作されると（ステップＳ１０（Ｙｅｓ））、設定メニュー選択画面（図示せず）が表示され、このメニュー選択画面において、スクロール設定の項目が選択されると（ステップＳ１１）、図５に示すように、スクロール設定画面Ｇｓがメイン表示部１６に表示される（ステップＳ１２）。
【００４９】
このスクロール設定画面Ｇｓにおいて、ユーザは、スクロールパッド１７のフリック操作によってスクロールさせる対象のエリアを、検索語入力時の見出し一覧表示時には、［見出し］（見出し語一覧エリアＬｍ）又は［プレビュー］（プレビューエリアＰｖ）の何れにするか、及び、辞書の説明情報表示時の上下分割画面においては、［上領域］（説明情報エリアＧｅ）又は［下領域］（用例／解説エリアＬｘ）の何れにするかを選択して入力する。そして、再度［設定］キー１４ｇが操作されると（ステップＳ１３）、選択されたエリアの設定データがスクロール設定データメモリ２６ｅに登録される（ステップＳ１４）。本実施例においては、検索語入力時の見出し語一覧表示時には、［プレビュー］が、辞書の説明情報表示時の上下分割画面においては、［下領域］が選択されたものとする。
【００５０】
図６は、前記電子辞書装置１０のスクロールパッド処理を示すフローチャートである。
【００５１】
図７は、前記電子辞書装置１０のスクロールパッド処理に伴う分割表示画面でのスクロール動作（その１）を示す図である。
【００５２】
前記辞書検索処理（図３，図４参照）に応じて、図７（Ａ）に示すように、メイン表示部１６に見出し語一覧エリアＬｍとプレビューエリアＰｖからなる分割表示画面（見出し語検索画面Ｇ）が表示された状態において、スクロールパッド１７にタッチ操作がされたか判断される（ステップＴ１）。
【００５３】
ここで、スクロールパッド１７のタッチが検出されると（ステップＴ１（Ｙｅｓ））、前記メイン表示部１６がタッチされているか判断され（ステップＴ２）、メイン表示部１６がタッチされてないと判断された状態において（ステップＴ２（Ｎｏ））、図７（Ｂ）に示すように、スクロールパッド１７に対し上フリックｕのユーザ操作があったと判断されると（ステップＴ３（Ｙｅｓ））、現在表示中の画面が見出し語一覧エリアＬｍとプレビューエリアＰｖの分割表示画面であることが確認される（ステップＴ４）。
【００５４】
すると、前記スクロール設定データメモリ２６ｅに登録されたスクロールエリアの設定データ［プレビュー］に応じて、プレビューエリアＰｖに表示されている説明情報の内容が上スクロールＳｕされる（ステップＴ５）。
【００５５】
一方、前記分割表示画面（見出し語検索画面Ｇ）において、そのメイン表示部１６がタッチされていると判断された場合は（ステップＴ２（Ｙｅｓ））、前記同様にスクロールパッド１７に対し上フリックｕのユーザ操作がなされることにより（ステップＴ６（Ｙｅｓ））、前記スクロール設定データメモリ２６ｅに登録されたスクロールエリアの設定データ［プレビュー］に基づき、当該設定とは反対である左側の見出し語一覧エリアＬｍに表示されている見出し語一覧の内容が上スクロールＳｕされる（ステップＴ７，Ｔ８）。
【００５６】
なお、スクロール設定データメモリ２６ｅに、検索語入力時の見出し語一覧表示時には、[見出し］が選択されて登録されていた場合には、上記の動作が逆になることは勿論である。
【００５７】
図８は、前記電子辞書装置１０のスクロールパッド処理に伴う分割表示画面でのスクロール動作（その２）を示す図である。
【００５８】
前記辞書検索処理（図３，図４参照）に応じて、図８（Ａ）に示すように、メイン表示部１６に表示された説明情報エリアＧｅと用例／解説エリアＬｘからなる上下分割表示画面において、スクロールパッド１７がタッチされたと判断されると（ステップＴ１（Ｙｅｓ））、次に、前記メイン表示部１６がタッチされているか判断される（ステップＴ２）。
【００５９】
ここで、前記メイン表示部１６がタッチされてないと判断された状態において（ステップＴ２（Ｎｏ））、図８（Ｂ）に示すように、スクロールパッド１７に対し上フリックｕのユーザ操作があったと判断されると（ステップＴ３（Ｙｅｓ））、現在表示中の画面が説明情報エリアＧｅと用例／解説エリアＬｘの上下分割表示画面であることが確認される（ステップＴ４）。
【００６０】
すると、前記スクロール設定データメモリ２６ｅに登録されたスクロールエリアの設定データ［下領域］に応じて、用例／解説エリアＬｘに表示されている用例の内容が上スクロールＳｕされる（ステップＴ５）。
【００６１】
一方、前記上下分割表示画面において、そのメイン表示部１６がタッチされていると判断された場合は（ステップＴ２（Ｙｅｓ））、前記同様にスクロールパッド１７に対し上フリックｕのユーザ操作がなされることにより（ステップＴ６（Ｙｅｓ））、前記スクロール設定データメモリ２６ｅに登録されたスクロールエリアの設定データ［下領域］に基づき、当該設定とは反対である上領域の説明情報エリアＧｅに表示されている説明情報の内容が上スクロールＳｕされる（ステップＴ７，Ｔ８）。
【００６２】
なお、スクロール設定データメモリ２６ｅに、解説表示の分割画面に対して、[上領域］が選択され、登録されていた場合には、上記の動作が逆になることは勿論である。
【００６３】
したがって、前記構成の電子辞書装置１０のスクロールパッド１７による分割表示画面のスクロール機能によれば、前記見出し語一覧エリアＬｍとプレビューエリアＰｖの左右分割表示画面では、単にスクロールパッド１７をフリック操作したときは、予めユーザ設定されたプレビューエリアＰｖの表示内容をスクロールさせることができ、見出し語の選択を決定して説明情報を全画面表示させずともその全文を確認できる。しかも、当該表示画面の何処かを片手でタッチしながらスクロールパッド１７をフリック操作したときには、前記ユーザ設定されたプレビューエリアＰｖとは反対の見出し語一覧エリアＬｍの表示内容をスクロールさせることができる。
【００６４】
また同様に、前記説明情報エリアＧｅと用例／解説エリアＬｘの上下分割表示画面では、単にスクロールパッド１７をフリック操作したときは、予めユーザ設定された用例／解説エリアＬｘの表示内容をスクロールさせることができ、所望の用例／解説の選択を決定して全画面表示させずともその全文を確認できる。しかも、当該表示画面の何処かを片手でタッチしながらスクロールパッド１７をフリック操作したときには、前記ユーザ設定された用例／解説エリアＬｘとは反対の説明情報エリアＧｅの表示内容をスクロールさせることができる。
【００６５】
よって、分割表示された各エリアを対象に使い勝手良く必要に応じたスクロールを行わせることが可能になる。
【００６６】
なお、前記実施形態では、スクロールパッド１７のフリック操作に応じて、予めユーザ設定された分割表示画面の一方のエリアか又はその反対の他方のエリアを自在にスクロールさせる構成としたが、当該フリック操作の距離や速度に応じて、スクロールする量や速度を変化させる構成としてもよい。
【００６７】
また、前記実施形態において、スクロールパッド１７は、タッチパネル式メイン表示部１６とは独立して構成されるが、本電子辞書装置１０が例えばタブレット型端末によって実施される場合には、１つのタッチパネル式表示部の領域を分割した一部の領域をスクロールパッドとして機能させる構成としてもよい。さらに、スクロールパッドではなくて、ロータリースイッチを設け、上下方向の回転操作により上記で説明した機能を実行させるようにしても良い。
【００６８】
前記実施形態において記載した電子辞書装置１０による各処理の手法およびデータベース、すなわち、図３のフローチャートに示す辞書検索・設定処理、図６のフローチャートに示すスクロールパッド処理などの各手法および辞書データベース２２ｂ等を含むデータベースは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体２３に格納して配布することができる。そして、表示部（１５，１６）および接触位置検出部（１７）を備えた電子機器のコンピュータは、この外部記録媒体２３に記録されたプログラムを記憶装置２２に読み込み、この読み込んだプログラムによって動作が制御されることにより、前記実施形態において説明した分割表示画面を対象とするスクロールエリアのユーザ設定機能およびフリック操作に応じたスクロール実行機能を実現し、前述した手法による同様の処理を実行することができる。
【００６９】
また、前記各手法を実現するためのプログラムのデータは、プログラムコードの形態としてネットワークＮ上を伝送させることができ、このプログラムデータを、表示部（１５，１６）および接触位置検出部（１７）を備えた電子機器のコンピュータに通信部２５によって取り込むことで、前述した分割表示画面を対象とするスクロールエリアのユーザ設定機能およびフリック操作に応じたスクロール実行機能を実現することもできる。
【００７０】
なお、本願発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７１】
以下に、本願出願の当初の特許請求の範囲に記載された発明を付記する。
【００７２】
［１］
タッチパネルを備えた表示部と、
ユーザ操作に応じた方向の指示を検出する方向指示検出部と、
複数の項目とその内容を対応付けたデータを記憶するデータ記憶手段と、
このデータ記憶手段により記憶されたデータを前記表示部の表示画面を分割した各領域に表示させる分割表示手段と、
この分割表示手段により分割される領域を対象にスクロールする条件を設定する条件設定手段と、
前記方向指示検出部によりユーザ操作に応じた方向の指示が検出された際に、前記条件設定手段により設定されたスクロールする条件に従い、前記分割表示手段により分割されて表示された１つの領域を前記検出されたユーザ操作の指示する方向にスクロールさせる分割領域スクロール手段と、
を備えたことを特徴とする電子機器。
【００７３】
［２］
前記条件設定手段は、
ユーザ操作に応じて前記分割表示手段により２分割して表示される一方の領域をスクロールする領域に設定するスクロール設定手段を有し、
前記方向指示検出部によりユーザ操作に応じた方向の指示が検出された際に、前記タッチパネルによりユーザ操作に応じた表示画面への接触が検出されていない場合は、前記スクロール設定手段により設定された一方の領域をスクロールし、前記タッチパネルによりユーザ操作に応じた表示画面への接触が検出されている場合は、前記スクロール設定手段により設定された領域と反対の領域をスクロールする条件を設定する、
ことを特徴とする［１］に記載の電子機器。
【００７４】
［３］
前記分割表示手段は、
ユーザ操作に応じて前記表示部の表示画面を縦に分割するか横に分割するか設定する分割設定手段を有し、
この分割設定手段により設定された分割方向に応じて分割された一方の領域に前記データ記憶手段により記憶された複数の項目の一覧データを表示させ、他方の領域に当該一覧データから選択された１つの項目に対応する内容のデータを表示させる、
ことを特徴とする［１］または［２］に記載の電子機器。
【００７５】
［４］
前記データ記憶手段は、複数の見出し語とその用例または解説を関係付けて含む説明情報とを対応付けた辞書データを記憶し、
前記分割表示手段は、前記分割設定手段により設定された分割方向に応じて分割された一方の領域に前記データ記憶手段により記憶された１つの見出し語の説明情報を表示させ、他方の領域に当該説明情報に関係付けられた用例または解説のデータを表示させる、
ことを特徴とする［３］に記載の電子機器。
【００７６】
［５］
タッチパネルを備えた表示部と、ユーザ操作に応じた方向の指示を検出する方向指示検出部とを備えた電子機器のコンピュータを制御するためのプログラムであって、
前記コンピュータを、
複数の項目とその内容を対応付けたデータをメモリに記憶させるデータ記憶手段、
このデータ記憶手段により記憶されたデータを前記表示部の表示画面を分割した各領域に表示させる分割表示手段、
この分割表示手段により分割される各領域を対象にスクロールする条件を設定する条件設定手段、
前記方向指示検出部によりユーザ操作に応じた方向の指示が検出された際に、前記条件設定手段により設定されたスクロールする条件に従い、前記分割表示手段により分割されて表示された１つの領域を前記検出されたユーザ操作の指示する方向にスクロールさせる分割領域スクロール手段、
として機能させるためのプログラム。
【符号の説明】
【００７７】
１０  …電子辞書装置
１１  …本体ケース
１２  …蓋体ケース
１３  …ヒンジ部
１４  …キー入力部
１４ａ…文字入力キー
１４ｂ…辞書指定キー
１４ｃ…［訳／決定］キー
１４ｄ…［戻る／リスト］キー
１４ｅ…カーソルキー（スクロールキー）
１４ｆ…［レイアウト］キー
１４ｇ…［設定］キー
１５  …タッチパネル式サブ表示部
１５ｄ…カラー液晶表示部（バックライト付き）
１５ｔ…透明タッチパネル
１６  …タッチパネル式メイン表示部
１６ｄ…カラー液晶表示部（バックライト付き）
１６ｔ…透明タッチパネル
１７  …スクロールパッド
２１  …ＣＰＵ
２２  …記憶装置
２２ａ…装置制御プログラム
２２ｂ…辞書データベース
２３  …外部記録媒体
２４  …記録媒体読み取り部
２５  …通信部
２６  …ＲＡＭ
２６ａ…入力データメモリ
２６ｂ…メイン画面データメモリ
２６ｃ…サブ画面データメモリ
２６ｄ…表示レイアウトデータメモリ
２６ｅ…スクロール設定データメモリ
３０  …Ｗｅｂサーバ
Ｎ    …通信ネットワーク
Ｇ    …見出し語検索画面
ｕ    …上フリック
ｄ    …下フリック
Ｓｕ  …上スクロール
Ｓｄ  …下スクロール
Ａｋ  …検索語入力エリア
Ｌｍ  …見出し語一覧エリア
Ｃｕ  …反転カーソル
Ｐｖ  …プレビューエリア
ＧＥ  …説明情報表示画面
Ｇｅ  …説明情報エリア
Ｌｘ  …用例／解説エリア
Ｇｓ  …スクロール設定画面
【図１】
2013186753.tif 000003
【図２】
2013186753.tif 000004
【図３】
2013186753.tif 000005
【図４】
2013186753.tif 000006
【図５】
2013186753.tif 000007
【図６】
2013186753.tif 000008
【図７】
2013186753.tif 000009
【図８】
2013186753.tif 000010